(57)【要約】【課題】  壊れにくく、部品点数も少なく、折り畳んだ状態でもコンパクト且つスリムであり、例えば、洗濯機と壁の隙間などに入れて保管することも可能な懸吊体およびこの懸吊体を用いた物干具を提供する。【解決手段】  上側に掛止手段３が設けられ、横側又は下側に左右各１個のアーム５が下方に向けて設けられた懸吊体１であって、アーム５はその内端で軸支されるとともに、その外端には他の部材を回動自在に取り付けるための取付孔５ｂが穿設されている懸吊体１を提供するとともに、前記懸吊体１と物干具本体６とからなり、前記物干具本体６は、略Ｕ字状の二つの枠部材７ａを連結部７ｂで開閉自在に連結してなる枠体と、該連結部７ｂから外側寄りに横設された補強桟８とからなり、該枠体にはピンチｐを垂下してなり、前記懸吊体１の取付孔５ｂには前記補強桟８が回動自在に挿通されていることを特徴とする物干具Ａを提供する。【選択図】図９
2008200066.tif 000002
【特許請求の範囲】
【請求項１】
懸吊体本体の上側に掛止手段が設けられ、横側又は下側に左右各１個のアームが下方に向けて設けられた懸吊体であって、アームはその内端で軸支されるとともに、その外端には他の部材を回動自在に取り付けるための取付孔が穿設されていることを特徴とする懸吊体。
【請求項２】
掛止手段が吊りフックであることを特徴とする請求項１に記載の懸吊体。
【請求項３】
吊りフックの湾曲部両側に逆Ｌ字状包接片を有する一対の抱持具の折曲部を包接片の開口側が相対向するように回動自在に枢着してなり、両包接片の開口側が吊りフックの湾曲部の弾性による締付け力をもって棒部材を着脱自在に抱持することを特徴とする請求項２に記載の懸吊体。
【請求項４】
包接片の下辺先端部の開口側表面に滑り止めを施したことを特徴とする請求項３に記載の懸吊体。
【請求項５】
吊りフックの湾曲部中央に軟質の弾性部材を設けたことを特徴とする請求項３又は請求項４に記載の懸吊体。
【請求項６】
懸吊体と物干具本体とからなり、
前記懸吊体は、懸吊体本体の上側に掛止手段が設けられるとともに横側又は下側に左右各１個のアームが下方に向けて設けられ、アームはその内端で懸吊体本体と軸支されるとともに、その外端には取付孔が穿設され、
前記物干具本体は、略Ｕ字状の二つの枠部材を連結部で開閉自在に連結してなる枠体と、該連結部から外側寄りに横設された補強桟とからなり、該枠体にはピンチを垂下してなり、
前記懸吊体の取付孔には前記補強桟が回動自在に挿通されていることを特徴とする物干具。
【請求項７】
掛止手段が吊りフックであることを特徴とする請求項６記載の懸吊体。
【請求項８】
吊りフックの湾曲部両側に逆Ｌ字状包接片を有する一対の抱持具の折曲部を包接片の開口側が相対向するように回動自在に枢着してなり、両包接片の開口側が吊りフックの湾曲部の弾性による締付け力をもって棒部材を着脱自在に抱持することを特徴とする請求項７に記載の物干具。
【請求項９】
包接片の下辺先端部の開口側表面に滑り止めを施したことを特徴とする請求項８記載の物干具。
【請求項１０】
吊りフックの湾曲部中央に軟質の弾性部材を設けたことを特徴とする請求項８又は請求項９に記載の物干具。
【請求項１１】
ピンチがピンチ垂下具を介して枠体から垂下されており、該ピンチ垂下具はこれにピンチを取り付けるための複数のピンチ保持部と、ピンチ保持部を所定間隔をあけて列設するための連設棒と、これを枠体に摺動可能に係着するための枠着部からなり、枠着部は少なくとも連設棒の両端付近に設けられていることを特徴とする請求項６乃至請求項１０のいずれかに記載の物干具。
【発明の詳細な説明】
【技術分野】
【０００１】
本発明は懸吊体、及び、この懸吊体を用いた折り畳み式の物干具に関し、更に詳しくは、壊れにくく、部品点数も少なくコストダウンが可能で、折り畳むとコンパクト且つスリムになり、洗濯機と壁の隙間などの狭い空間に収納することも可能な懸吊体およびこの懸吊体を用いた物干具に関する。
【背景技術】
【０００２】
ハンカチや靴下など、比較的小さな洗濯物を干すための物干具として、合成樹脂や金属薄板からなるリング形の枠体に複数のピンチを一定間隔毎に取り付け、前記枠体の４つのコーナ部に掛けられたワイヤーないしはチェーンなどの４本の索条体の各先端を吊り手の下端部に接続したものが知られている（例えば、特許文献１，２参照）。
【０００３】
しかし、このような物干具では、前記枠体のコーナ部と吊り手とが４本の索条体で繋がれているので、吊り手を物干し竿などに掛けたりする際に、索条体が物干し竿台の周辺物に引っ掛かったりすることがあり、取り扱いにくいという問題がある。
また、不使用時にはこの物干具を収納するために、前記枠体を二つ折りに折り畳んでコンパクトにするのが好ましいが、上記した従来の物干具で折り畳み構造を適用したとしても、索条体が邪魔になってスムースに折り畳みにくいという問題もある。
【０００４】
そこで、近年では、平面形状が略Ｕ字形の外枠部材の両端部間を桟部材で連結して構成されて、複数のピンチが吊持された二つの枠体と、前記一方の枠体における外枠部材の両端部と他方の枠対の外枠部材の両端部とを連結するとともに、両枠体を上方へ折り畳んだ状態と水平面に沿った展開状態とに変更可能に枢支する枢支・連結手段と、前記両桟部材に片持ち状態に固定されて互いに相手側に向かって延びるアームを有し、前記二つの枠体を吊持する枠体吊持手段と、この枠体吊持手段に対して垂直軸回りの回転が可能に連結された吊り手と、を備えていることを特徴とする物干し器が提案されている（特許文献３参照）。この物干し器は、不使用時にはコンパクトに折り畳むことができ、さらに、物干し竿にこの物干し器を掛ける際や折り畳みの際などに索条体が邪魔になることもない。
【０００５】
しかしながら、この物干し器では、枠体吊持手段と枠体を連結するアームが枠体に固定されており、この物干し器を広げて吊り下げた場合にはアームも地面に対して水平になる。このため、この物干し器の荷重はアームの太さ方向に掛かってしまうためアームが折れやすい。加えて、アームを枠体に固定する際、アーム及び枠体に互いに係合する凹凸を設け、これによりアームの回転を防いでいるが、この凹凸部分に掛かる応力は非常に大きいため係合している突出部分が剪断されやすい。この応力によるアームの破損を防ぐため、アームの数を片側２本として応力を分散しているが、これにより部品点数が増大してコスト高になり、故障の可能性も大きくなる。
【０００６】
さらに、折り畳み時にはアームは枠体とともに上側に向けられるが、枠体吊持手段の本体は前後一対の三角形の枠体の支持体と両支持体間に跨設された吊り手取り付け用ステムとからなり、アームが吊り手取り付け用ステムの幅方向両側に重複するため、全体として分厚くなってしまい、収納に必要なスペースが増大してしまうため不便である。また、物干し器が嵩張ると、輸送や在庫のスペースも大きくなるとともに売り場のスペースも大きくなり、効率的でない。
【０００７】
これに加え、この物干し器の吊り手には挟着片が開放可能に枢支・連結されており、この挟着片と吊り手本体との間には、該挟着片に対して常時閉鎖方向へのばね力を付勢する復帰ばねが掛設されている。このため、この物干し器を物干竿などに吊持させ又は取り外すときには吊り手を握って操作し、復帰ばねのばね力に抗して挟着片を開放方向に動かす必要があるため、物干し器まで手が届かないような背が低い場合には甚だ使用しにくいという問題を含んでいる。
【０００８】
更に、洗濯物の数や大きさによっては、間隙をあけたり、又は逆に詰めたりして干すことが望ましい場合があるが、従来の物干具や物干し器は、ピンチの位置が固定されているため、このような要請には対応できないという問題もある。
【特許文献１】実開昭５６−６３９２号公報
【特許文献２】特開平１１−１１４２８９号公報
【特許文献３】特開２００５−２７０５８１号公報
【発明の開示】
【発明が解決しようとする課題】
【０００９】
本発明者は、かかる実情に鑑み、上記問題点を解消するべく鋭意研究の結果、アームを下向きに設け、その内端で懸吊体本体と軸支するとともに、その外端には他の部材を回動自在に取り付けるための取付孔を穿設し、この取付孔に枠体の桟を挿通してアームと枠体を回動自在とすることにより、アームを左右各１本としても破損しにくく、部品点数が少なくなるので故障しにくく、コストダウンが可能で、さらにコンパクト且つスリムに折り畳むことができ、上記従来の問題が一挙に解決できることを見出し、本発明を完成するに至った。
【課題を解決するための手段】
【００１０】
本発明は上記目的を達成するためになされたもので、本発明の請求項１は、懸吊体本体の上側に掛止手段が設けられ、横側又は下側に左右各１個のアームが下方に向けて設けられた懸吊体であって、アームはその内端で懸吊体本体と軸支されるとともに、その外端には他の部材を回動自在に取り付けるための取付孔が穿設されていることを特徴とする懸吊体を内容とする。
【００１１】
本発明の請求項２は、掛止手段が吊りフックであることを特徴とする請求項１に記載の懸吊体を内容とする。
【００１２】
本発明の請求項３は、吊りフックの湾曲部両側に逆Ｌ字状包接片を有する一対の抱持具の折曲部を包接片の開口側が相対向するように回動自在に枢着してなり、両包接片の開口側が吊りフックの湾曲部の弾性による締付け力をもって棒部材を着脱自在に抱持することを特徴とする請求項２に記載の懸吊体を内容とする。
【００１３】
本発明の請求項４は、包接片の下辺先端部の開口側表面に滑り止めを施したことを特徴とする請求項３に記載の懸吊体を内容とする。
【００１４】
本発明の請求項５は、吊りフックの湾曲部中央に軟質の弾性部材を設けたことを特徴とする請求項３又は請求項４に記載の懸吊体を内容とする。
【００１５】
本発明の請求項６は、懸吊体と物干具本体とからなり、前記懸吊体は、懸吊体本体の上側に掛止手段が設けられるとともに横側又は下側に左右各１個のアームが下方に向けて設けられ、アームはその内端で懸吊体本体と軸支されるとともに、その外端には取付孔が穿設され、前記物干具本体は、略Ｕ字状の二つの枠部材を連結部で開閉自在に連結してなる枠体と、該連結部から外側寄りに横設された補強桟とからなり、該枠体にはピンチを垂下してなり、前記懸吊体の取付孔には前記補強桟が回動自在に挿通されていることを特徴とする物干具を内容とする。
【００１６】
本発明の請求項７は、掛止手段が吊りフックであることを特徴とする請求項６記載の懸吊体を内容とする。
【００１７】
本発明の請求項８は、吊りフックの湾曲部両側に逆Ｌ字状包接片を有する一対の抱持具の折曲部を包接片の開口側が相対向するように回動自在に枢着してなり、両包接片の開口側が吊りフックの湾曲部の弾性による締付け力をもって棒部材を着脱自在に抱持することを特徴とする請求項７に記載の物干具を内容とする。
【００１８】
本発明の請求項９は、包接片の下辺先端部の開口側表面に滑り止めを施したことを特徴とする請求項８記載の物干具を内容とする。
【００１９】
本発明の請求項１０は、吊りフックの湾曲部中央に軟質の弾性部材を設けたことを特徴とする請求項８又は請求項９に記載の物干具を内容とする。
【００２０】
本発明の請求項１１は、ピンチがピンチ垂下具を介して枠体から垂下されており、該ピンチ垂下具はこれにピンチを取り付けるための複数のピンチ保持部と、ピンチ保持部を所定間隔をあけて列設するための連設棒と、これを枠体に摺動可能に係着するための枠着部からなり、枠着部は少なくとも連設棒の両端付近に設けられていることを特徴とする請求項６乃至請求項１０のいずれかに記載の物干具を内容とする。
【発明の効果】
【００２１】
本発明の懸吊体及びこの懸吊体を用いた物干具は、懸吊体本体の横側又は下側に左右各１個のアームが下方に向けて設けられ、アームはその内端で懸吊体本体と軸支されるとともに、その外端には他の部材を回動自在に取り付けるための取付孔が穿設され、この取付孔に枠体の補強桟を挿通することにより物干具本体を吊持する構造となっている。これにより、物干具を開いた時には、アームに掛かる応力の向きはアームの軸方向と平行になるためアームが折れにくく、また、補強桟とアームは回動自在に取り付けられておりアームと補強桟の間に剪断力が働かないため破損しにくく、そのためアームの数が少なくても十分吊持することができる。これにより、部品点数を少なくすることができるので、コストダウンができるばかりでなく故障しにくくなる。
さらに、物干具を閉じた時には、懸吊具は枠部材と補強桟からなる環状構造の内部に入り込み、さらにアームは懸吊体本体の下に閉じた状態で収納されるため物干具本体、懸吊体本体、アームがそれぞれ幅方向に重複せず、物干具全体として薄く構成することができる。このため本発明の物干具は、例えば、洗濯機と壁の隙間のような狭いスペースにも収納でき、また、輸送や在庫、更には、売り場のスペースも小さくてよいので極めて効率的である。
【００２２】
掛止手段を吊りフックとすれば、物干し竿等に物干具を掛けたり外したりする際に懸吊体を操作する必要がなく、物干具の下部を掴んで吊りフックを物干し竿等に掛けたり外したりできるため、背が低く物干し竿等に手が届かない場合でも容易に掛け外しを行うことができる。
【００２３】
吊りフックの湾曲部両側に逆Ｌ字状包接片を有する一対の抱持具を回動自在に枢着し、抱接片の折曲部で包接片の開口側が相対向するようにして、両包接片の開口側で吊りフックの湾曲部の弾性による締付け力をもって棒部材を着脱自在に抱持させると、一対の逆Ｌ字状包接片はその上辺及び下辺の計４点で棒部材に接触し、衣類吊下げ具の衣類が強風で煽られたりしても、吊りフックが棒部材から外れるようなことはない。
【００２４】
包接片の下辺先端部の開口側表面に滑り止めを施すと、包接片の下辺と棒部材との間の摩擦力が大きくなるため、物干具が棒部材から抜けにくくなる。
【００２５】
吊りフックの湾曲部中央に軟質の弾性部材を設けると、該弾性部材は棒部材を上方から押さえ、棒部材は逆Ｌ字状包接片と合わせて計５点で抱持されるため、物干具は一層棒部材から抜けにくくなる。
【００２６】
ピンチを取り付けるための複数のピンチ保持部と、ピンチ保持部を所定間隔をあけて列設するための連設棒と、枠体に摺動可能に係着するための枠着部からなり、枠着部は少なくとも連設棒の両端付近に設けられているピンチ垂下具を用い、これを介して枠体からピンチを垂下すると、ピンチ垂下具を摺動させることにより洗濯物の数や大きさに合わせてピンチを移動させることができ、また複数個のピンチが連接されているのでこれらをワンタッチで移動可能であり、さらに枠着部は少なくとも連設棒の両端付近に設けられているのでこれらの枠着部は互いに支え合って動きにくくなり、風に煽られた程度では移動し難くなる。
【発明を実施するための最良の形態】
【００２７】
本発明の懸吊体１は、例えば図１に示すように、懸吊具本体２の上側に掛止手段３が設けられ、横側又は下側に左右各１個のアーム５が下方に向けて設けられ、アーム５はその内端の軸支部５ａで軸支されるとともに、その外端には他の部材を回動自在に取り付けるための取付孔５ｂが穿設されていることを特徴とする。
【００２８】
この懸吊体１の材質は十分な強度を有する限り特に限定されず、鉄、アルミ、ステンレス等の金属製、ＡＢＳ、ＡＡＳ、ＡＥＳ、ＡＳ、ＰＳ、ＰＭＭＡ、ＰＶＣ、ＰＡ、ＰＰ、ＰＥ、ＰＢＴ、ＰＥＴなどの樹脂製、木製などが採用できる。より好ましくは、掛止手段を強度及び弾性が高い金属製とし、その他の部分は軽量かつ強度の高いＡＢＳやＡＥＳ樹脂とする。
【００２９】
本発明において、アーム５は懸吊体本体２の横側又は下側に軸支されている。その構造は特に限定されないが、例えば図２に示すように、アームの内端に軸（５ａ）を突設するとともに、懸吊体本体２の側方又は下方に前記軸を受けるための孔を穿設したフランジ２つを対向して設ける構造が例示できる。その他、アーム５を懸吊体本体２に軸支できる構造であれば、いかなる構造でも採用できる。
【００３０】
本発明において、アーム５は懸吊体本体２から下方に向けて設けられている。ここで、「下方に向けて」とは、アームが懸吊体本体に対し、横方向や上方向に向かないことを意味するのであって、真下を向く場合のみならず、斜め下を向く場合も含む。アーム５が横又は上向きであると、この懸吊体１が設けられた物干具を折り畳む際に、枠体、アーム、懸吊体本体が幅方向に重複してしまい、折り畳まれた物干具が分厚く嵩張ってしまうため好ましくない。
【００３１】
アーム５を下方に向ける構造は特に限定されないが、例えば図３に示すように、アーム５の内端を、その上側が長く下側が短い形状にし、軸支した部分の近傍に側壁２ａを設けた構造が挙げられる。このようにすると、アーム５が下向き（図３における破線で示した状態）の場合には、アーム５は側壁２ａと接触せず回動自在であるが、横向きに近くなるとアーム５の内端が側壁２ａと接触し、それ以上回動できなくなる。その他、アーム５が横又は上に向くのを妨げる構造であれば、いかなる構造でも採用できる。
【００３２】
アーム５の外端には取付孔５ｂが穿設される。この取付孔５ｂは折り畳み可能な物干具本体の部材を回動自在に取り付けるためのものであり、この取付孔５ｂで物干具本体と接続することにより、物干具本体の開閉につれてアーム５も開閉し、コンパクトに折り畳むことができる。
取付孔５ｂの構造は特に限定されず、特に、この取付孔５ｂに挿通する部材が円柱状或いは筒状であれば、単なる円形の孔で十分であるが、回動をスムースにするためベアリングを介設してもよいし、取付孔５ｂ付近の破損を軽減するため緩衝材等を介設してもよい。
【００３３】
本発明において、懸吊体１の上側には掛止手段が設けられる。掛止手段は物干竿等の棒部材Ｂに掛止されて物干具を吊持することができれば、いかなる構造であっても採用できるが、好ましくは、掛止手段を吊りフックとする。この場合は、棒部材Ｂに物干具を掛けたり外したりする際に懸吊体を操作する必要がなく、物干具の下部を掴んで吊りフックを棒部材Ｂに掛止し又は取り外すことができるため、背が低く物干し竿等に手が届かない場合でも容易にこの物干具を扱うことができる。
なお、掛止手段は懸吊体本体に対して固定されていてもよいが、好ましくは、懸吊体本体に対して、回動自在に設ける。このようにすると、物干具を棒部材に掛けた状態で該物干具を回転させることができるため、一つのピンチに洗濯物を保持させた後、この物干具を僅かに回転させるだけで、隣接するピンチが目の前に移動するため、自らが移動することなしに全てのピンチに洗濯物を保持することができる。また、物干し中においても、物干具が風に煽られて自在に回転するので、均一に且つ万遍なく太陽や風に当るため洗濯物を均一且つ効率的に乾かすことができる。
掛止手段を回動自在に設ける構造は特に限定されないが、例えば図２に示すように、懸吊体本体２の上部に挿通孔を設けるとともに、掛止手段３の基端をかしめ等により前記挿通孔の径よりも大きくし、この挿通孔に前記掛止手段を先端側から挿通する構造が挙げられる。
【００３４】
掛止手段として吊りフックを採用した場合、棒部材に掛止した際に、風に煽られた場合等においても、不用意にはずれることを防止する抱持具を吊りフックに取り付けることができる。このような抱持具４としては、例えば図４，図５に示すように、この吊りフック３の湾曲部両側に逆Ｌ字状包接片４ａを有する一対の抱持具４を回動自在に枢着し、抱接片の折曲部でそれらの開口側が相対向するようにしたものが挙げられる。
【００３５】
図４及び図５において、抱持具４は側方に軸４ｃを突設した補助具４ｂを吊りフック３の湾曲部両側に固着し、この補助具４ｂを溝形の断面形状を有する逆Ｌ字状抱接片４ａの中に挟み込むとともに、補助具４ｂに突設された軸４ｃを包接片４ａの側面に設けた孔に挿通した構造からなっている。
【００３６】
上記構成の吊りフック３を棒部材Ｂに掛止するには、図４，図６に示すように、両包接片４ａ，４ａの下辺を開いてその上辺を棒部材Ｂに引っ掛け、吊りフック３に力を加えて棒部材Ｂの湾曲部の弾性を利用して少し左右両側に押し広げながら棒部材Ｂを引き上げる。これにより、棒部材Ｂは両包接片４ａ，４ａの上辺を持ち上げて両包接片４ａ，４ａを回動させる。両包接片４ａ，４ａは、上辺を開くとともに下辺を閉じ、その開口側が両包接片４ａ，４ａの上辺及び下辺の計４点で棒部材Ｂ外周に接触してこれを抱持する（図６参照）。その際、棒部材Ｂにより両抱持具４，４を介して外方に押し広げられた吊りフック３の湾曲部は、弾性復元力により収縮する。そのため、両抱持具４，４は、吊りフック３の湾曲部の弾性復元力による締付け力をもって棒部材Ｂを強く抱持し、衣類が強風で煽られたりして吊りフック３が棒部材Ｂから外れるのを防止する。逆に、吊りフック３を棒部材Ｂから取り外すには、吊りフック３を上方に引き上げればよい。この操作は物干具を持って上方に押し上げることによっても可能で、背の低い場合であっても容易に行うことができる。
【００３７】
逆Ｌ字状包接片４ａの下辺先端部の開口側表面には、滑り止め４ｄを施してもよい。滑り止め４ｄの構造は棒部材Ｂと係止突起４が滑らないものである限り特に限定されず、包接片４ａの下辺先端部にゴム、エラストマー等摩擦力の大きい素材を貼着してもよいし、横向きの凸条を数本設けてもよい。なお、図１、図４等に示した例では４本の凸条を横向きに設けて滑り止め４ｄとしている。この滑り止め４ｄは棒部材Ｂとの間の摩擦力を大きくするため、吊りフック３が棒部材Ｂから抜けにくくなり、従って、物干具が棒部材Ｂから外れにくくなる。
【００３８】
吊りフックの湾曲部中央にはゴム、エラストマー等の軟質の弾性部材を設けることもできる。弾性部材を設けた場合、例えば図７に示したように、弾性部材３ａは包接片４ａとともに棒部材Ｂと接触し、両包接片４ａ，４ａの上辺、下片の４点との計５点で棒部材Ｂの外周に接触するため、棒部材Ｂの抱持を一層確実にすることができる。
なお、図４、図６，図７において、左側の抱持具４は内部構造を表す断面図とされている。
【００３９】
弾性部材３ａの形状は、包接片４ａが棒部材Ｂを抱持したときにこの棒部材Ｂと接触する限り特に限定されず、図７に示したような吊りフック３の湾曲部中央に弾性部材を巻きつけてもよいし、該部分の下面のみに弾性部材を貼着してもよい。
【００４０】
上記したような懸吊体は、各種懸吊対象物に適用されるが、特に、好適には折り畳み可能な物干具本体と連結して使用される。好適な物干具本体としては、中央部付近で折り畳むことができ、懸吊体のアームに穿設された取付孔に回動自在に挿通できる桟を有する物が挙げられるが、略Ｕ字状の二つの枠部材を連結部で開閉自在に連結してなる枠体と、該連結部から外側寄りに横設された補強桟とからなり、該枠体にはピンチを垂下してなる物干具本体と連結して使用するのが特に好ましい。このような物干具は、折り畳んだ際に全体として薄く嵩張らない構成とすることができるため、例えば、洗濯機と壁の隙間のような狭いスペースにも収納できる。また、輸送、在庫、売り場のスペースも小さなものでよく、従って効率的である。
【００４１】
好ましい物干具本体に上記の懸吊具１を取り付けて、本発明の物干具Ａとした実施例の底面図を図８に示す。この例で使用した物干具本体６は略Ｕ字状の二つの枠部材７ａ，７ａを連結部７ｂ，７ｂで開閉自在に連結してなる枠体７と、該連結部７ｂから外側寄りに横設された補強桟８，８と、前記枠部材７ａ，７ａ及び補強桟８，８から垂下されたピンチｐ，ｐからなる。
【００４２】
この物干具本体の材質は十分な強度を有する限り特に限定されず、鉄、アルミ、ステンレス等の金属製、ＡＢＳ、ＡＡＳ、ＡＥＳ、ＡＳ、ＰＳ、ＰＭＭＡ、ＰＶＣ、ＰＡ、ＰＰ、ＰＥ、ＰＢＴ、ＰＥＴなどの樹脂製、木製などが採用できる。安価で高級感がある点からはアルミが好ましい。
【００４３】
本発明において、枠体７の連結部７ｂから外側寄り、即ち略Ｕ字状の枠部材７ａの端部付近からやや内側寄りに補強桟８が設けられる。これにより枠部材７ａと補強桟８からなる環状構造が二つ出来上がり、多くのピンチｐが垂下できるとともに、垂下した洗濯物の重さや外力によっても変形しにくい枠体７が得られる。この枠部材７ａ，７ａは、懸吊具１で吊るしたときに物干具Ａの左右バランスが取れるように、左右同形であることが好ましい。
なお、補強桟８は略Ｕ字状の枠部材７ａの端部付近に横設されて枠部材７ａを補強すると共に、その中央部に懸吊具１を取り付けるために設けられているが、この部分にもピンチｐを垂下しても差し支えない。
枠部材の大きさは特に限定されず、所望の数（図８においては３２個）のピンチｐを適当な間隔（図８においては５〜６ｃｍ）で列設できる程度であればよいが、取り扱いの容易さの観点から３０〜４０ｃｍ四方の矩形の範囲内に収まる程度が好ましい。
【００４４】
上記二つの枠部材７ａはその端部に設けられた連結部７ｂで開閉自在に連結され、枠体７とされる。これにより枠体７は、使用時には開かれて枠部材７ａの略２倍のサイズとなり多数の洗濯物を吊下することができるとともに、収納時には閉じられて面積が半分になり、収納しやすいサイズとなる。
なお、この枠体７は上方向のみに開閉され、下方向には閉じないようにされている。これにより、枠体を閉じると懸吊体１は枠部材７ａの内側に収容され、外側には突出しないので、その分、小さな面積に折り畳むことができる。
枠体７を上方向のみに開閉するための構造としては特に限定されず、公知の構造がすべて好適に採用できるが、例えば図９に示したように、連結部７ｂを枠部材７ａの端部のやや上側に設けるとともにその下側をストッパー７ｃとし、枠体７が十分開くと左右のストッパー７ｃ，７ｃが互いに当接して下方に閉じるのを防ぐ構造が挙げられる。このような構造とすれば部品の形状が単純で部品点数も少なくてすむため故障の可能性が減少するとともに、結合部８ｂがさほど大きくならないため、物干具をより薄く嵩張らずに折り畳むことができる。
【００４５】
本発明では枠体７（及び補強桟８）にピンチｐが垂下され、このピンチｐで洗濯物を保持して使用する。使用されるピンチｐとしては特に限定されず、市販のものが全て好適に使用できるが、洗濯物によっては、ピンチｐの間隔を大きくしたり、逆に小さくしたりしたほうが好都合の場合がある。このような要請に応じるため、ピンチｐの位置は移動できるほうが好ましい。
【００４６】
ピンチｐを移動可能にするための構造としては限定されないが、枠体７（及び補強桟８）上で摺動可能な垂下具を介してピンチを垂下する構造が挙げられる。好ましいピンチ垂下具としては、例えば図９，図１０，図１１に示すように、ピンチを取り付けるための複数のピンチ保持部９ａと、ピンチ保持部を所定間隔をあけて列設するための連設棒９ｂと、枠体に摺動可能に係着するための枠着部９ｃからなり、枠着部９ｃは少なくとも連設棒９ｂの両端付近に設けられているピンチ垂下具９を使用し、このピンチ垂下具を介して枠体７（及び補強桟８）にからピンチが垂下する構造とする。
【００４７】
ピンチ保持部９ａの形状は特に限定されないが、例えば図１０，図１１に示すように、リング状部分から棒状部分が突設された形状を例示でき、また、ピンチｐの係脱を容易にするためリング状部分の一部を切除した形状やフック型等を採用してもよい。この実施例において、ピンチ保持部９ａはその棒状部分で連設棒９ｂの両端部分に計２個固着されているが、適当な間隔で連接される限り３個以上のピンチ保持部９ａを設けてもよい。
【００４８】
連設棒９ｂはピンチ垂下具９を枠体７上で摺動させたとしても容易に撓まない程度の剛性を有する棒状部材である。この連設棒９ｂにピンチ保持部９ａを固着することにより、ピンチ保持具９ａの間隔は常に適切に保たれるとともに、ワンタッチで複数個のピンチｐを同時に移動させることができ、これにより隣接するピンチ垂下具９，９に垂下されたピンチｐ，ｐの間隔を洗濯物の幅に合わせて自由に変更できる。なお、ピンチ保持部９ａは連設棒９ｂに直接固着する必要はなく、枠着部９ｃを介して間接的に固着してもよい。
【００４９】
枠着部９ｃの形状は特に限定されないが、例えば図１０，図１１に示すように、内径が枠部材７ａ（及び補強桟８）の直径と略等しいリング状を例示でき、また、枠部材７ａ（及び補強桟８）への着脱を容易にするためリングの一部を切除した形状やフック型等を採用してもよい。この実施例において、枠着部９ｃは連設棒９ｂの両端部分に計２つ固着されているが、３つ以上の枠着部９ｃを設けてもよい。このような枠着部９ｃは枠部材７ａ（及び補強桟８）と摺動可能に係着するため、この枠着部９ｃを介してピンチ垂下具９を摺動させることにより洗濯物の数や大きさに合わせてピンチｐ，ｐの間隔を調節することができる。さらに枠着部９ｃは少なくとも連設棒９ｂの両端付近に設けられているので、これらの枠着部９ｃが互いに支え合って動きにくくなり、風に煽られた程度では移動し難くなる。
【００５０】
上記の物干具本体６は、その補強桟８が上記した懸吊体１のアーム５の外端に穿設された取付孔５ｂに回動自在に挿通されることにより、懸吊体１と連結される。これにより、物干具本体６が水平、上方に開閉するにつれて、２本のアーム５が斜方、下方に開閉する構造とされる。
尚、アーム５の取付孔５ｂに回動自在に挿通された補強桟８上を取付孔６ｂが移動しないように、取付孔５ｂの両側の補強桟８に摺動防止具５ｃが配設されている。
【００５１】
次に、本発明の物干具の使用方法について説明する。
本発明の物干具は、図９に示すように、懸吊具１で物干具本体６を吊り下げて使用される。このとき、アーム５は懸吊具１から斜め下方に伸びており、取付孔５ｂで２本の補強桟８を安定的に支持している。
この物干具Ａを折り畳む際には、図１２に示すように、物干具本体６を連結部７ｂで折り曲げて上側に閉じるようにする。このとき、アーム５は図９に示した状態と比較して、やや下側に閉じた状態になっている。
図１３は物干具本体６をほとんど閉じた状態にした説明図である。このようにすると、物干具Ａの面積は略半分となり、扱いやすく収納にも便利になる。このとき懸吊具１のアーム５は、図１４に示すように、下向きに閉じられた状態となり懸吊具本体２の真下に収められる。
図１５は図１４の側面図で、即ち、物干具本体６を閉じた状態で、懸吊体１の掛止手段（吊りフック）３を補強材８と平行に向けた状態を示すものであるが、懸吊体１は枠部材７ａと補強桟８からなる環状構造の内側に入り込むため、折り畳み時に懸吊体１と物干具本体６が幅方向に重複しない。従って、折り畳まれた物干具Ａの厚みは懸吊具本体２の幅と同程度とすることができ、洗濯機と壁の隙間など細い空間にも収納できるようになるとともに、輸送、在庫、売り場の省スペースとなる。尚、図１５では、ピンチが懸吊具本体２の幅よりも出っ張っているが、これは２個の枠部材７ａの内部に押し込めることができるので、実質的には懸吊具本体２の幅内に納めることができる。
【産業上の利用可能性】
【００５２】
叙上のとおり、本発明の懸吊体及びこの懸吊体を用いた物干具は、構造が単純で壊れにくく、部品点数が少なくて故障しにくいとともにコストダウンが可能であり、さらにコンパクトかつスリムに折り畳むことができる。従って、安価かつ長期間の使用ができるばかりか、例えば洗濯機と壁の隙間などの僅かな空間にも保存できるため極めて便利であるばかりでなく、輸送、在庫、売り場も省スペースとなり、輸送効率、在庫効率、売り場効率が高められ、その有用性は頗る大である。
【図面の簡単な説明】
【００５３】
【図１】本発明の懸吊具の実施例を示す正面図である。
【図２】本発明の懸吊具の構造の例を示す断面図である。
【図３】実施例におけるアームを示す説明図である。
【図４】実施例における吊りフックを示す説明図である。
【図５】逆Ｌ字状包接片の枢着部の構造の例を示す図４のＸ−Ｘ断面図である。
【図６】吊りフックで棒部材を抱持した状態を示す説明図である。
【図７】別の吊りフックで棒部材を抱持した状態を示す説明図である。
【図８】本発明の物干具の実施例を示す底面図である。
【図９】本発明の物干具を開いた状態を示す正面図である。
【図１０】本発明の物干具で使用できるピンチ垂下具の正面図である。
【図１１】ピンチ垂下具の正面図である。
【図１２】本発明の物干具を半分閉じた状態を示す正面図である。
【図１３】本発明の物干具を殆ど閉じた状態を示す正面図である。
【図１４】本発明の物干具を殆ど閉じた場合における懸吊体の状態を示す説明図である。
【図１５】本発明の物干具を閉じた状態を示す側面図である。
【図１６】図１５の側面図である。
【符号の説明】
【００５４】
Ａ  物干具
１  懸吊体
２  懸吊体本体
２ａ  側壁
３  掛止手段（吊りフック）
３ａ  弾性部材
４  抱持具
４ａ  逆Ｌ字状包接片
４ｂ  補助具
４ｃ  枢着部
４ｄ  滑り止め
５  アーム
５ａ  軸止部
５ｂ  取付孔
５ｃ  摺動防止具
６  物干具本体
７  枠体
７ａ  枠部材
７ｂ  連結部
７ｃ  ストッパー
８  補強桟
９  ピンチ垂下具
９ａ  ピンチ保持部
９ｂ  連設棒
９ｃ  枠着部
ｐ  ピンチ
Ｂ  棒部材
【図１】
2008200066.tif 000003
【図２】
2008200066.tif 000004
【図３】
2008200066.tif 000005
【図４】
2008200066.tif 000006
【図５】
2008200066.tif 000007
【図６】
2008200066.tif 000008
【図７】
2008200066.tif 000009
【図８】
2008200066.tif 000010
【図９】
2008200066.tif 000011
【図１０】
2008200066.tif 000012
【図１１】
2008200066.tif 000013
【図１２】
2008200066.tif 000014
【図１３】
2008200066.tif 000015
【図１４】
2008200066.tif 000016
【図１５】
2008200066.tif 000017
【図１６】
2008200066.tif 000018